【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
眼科装置であって、
照明光が照明された被検眼からの戻り光を使用して前記被検眼の収差を測定する収差測定手段と、
前記被検眼の前記収差を補正する収差補正手段と、
前記被検眼からの前記戻り光を受光する受光手段と、
前記受光手段により受光された前記戻り光の強度を測定する強度測定手段と、
前記収差測定手段により取得された測定結果と前記強度測定手段により測定された前記戻り光の強度とに基づいて前記収差補正手段を制御する制御手段と、
前記収差補正手段を介して前記受光手段により受光された前記戻り光に基づいて前記被検眼の画像を生成する画像生成手段と
を備えることを特徴とする眼科装置。
【請求項２】
前記受光手段により受光された前記戻り光を画像信号へ変換する変換手段をさらに備え、
前記強度測定手段は、前記変換手段により変換された前記画像信号を測定し、
前記制御手段は、前記強度測定手段により取得された強度測定結果と、前記収差測定手段により取得された測定結果とに基づいて、前記収差補正手段を制御することを特徴とする請求項１に記載の眼科装置。
【請求項３】
前記受光手段は、前記被検眼で走査され且つ前記被検眼の異なる位置で反射された前記照明光を前記戻り光として受光し、
前記眼科装置は、前記被検眼の異なる位置で反射された戻り光の明暗比を測定する明暗比測定手段をさらに備え、
前記制御手段は、前記明暗比測定手段により取得された測定結果と、前記収差測定手段により測定された収差とに基づいて、前記収差補正手段を制御することを特徴とする請求項１に記載の眼科装置。
【請求項４】
前記制御手段は、前記強度測定手段により取得された強度測定結果と、前記収差測定手段により測定された収差とに基づいて、前記収差補正手段による補正が行われた後の補正状態を維持するように前記収差補正手段を制御することを特徴とする請求項１に記載の眼科装置。
【請求項５】
前記制御手段は、前記収差測定手段により測定された前記収差が所定の収差である場合に前記戻り光の強度の測定結果が最大であった時点での収差に基づいて前記収差補正手段を制御することを特徴とする請求項１に記載の眼科装置。
【請求項６】
前記制御手段は、前記強度測定手段により取得された強度測定結果に基づいて収差目標を設定し、前記収差測定手段により測定された収差が前記設定された前記収差目標となるように前記収差補正手段を制御することを特徴とする請求項１に記載の眼科装置。
【請求項７】
眼科装置の制御方法であって、
収差測定手段が、照明光が照明された被検眼からの戻り光を使用して前記被検眼の収差を測定する収差測定工程と、
収差補正手段が、前記被検眼の前記収差を補正する収差補正工程と、
受光手段が、前記被検眼からの前記戻り光を受光する受光工程と、
強度測定手段が、前記受光工程で受光された前記戻り光の強度を測定する強度測定工程と、
制御手段が、前記収差測定工程で取得された測定結果と前記強度測定工程で測定された前記戻り光の強度とに基づいて前記収差補正手段を制御する制御工程と、
画像生成手段が、前記収差補正手段を介して前記受光手段により受光された前記戻り光に基づいて前記被検眼の画像を生成する画像生成工程と
を有することを特徴とする眼科装置の制御方法。
【請求項８】
前記制御手段は、前記被検眼に対するアライメントが完了した場合に前記収差補正手段による収差の補正を開始するように前記収差補正手段を制御することを特徴とする請求項１に記載の眼科装置。
【請求項９】
眼科装置であって、
照明光が照明された被検眼からの戻り光を使用して前記被検眼の収差を測定する収差測定手段と、
前記被検眼の前記収差を補正する収差補正手段と、
前記被検眼からの前記戻り光を受光する受光手段と、
前記受光手段により受光された前記戻り光の強度を測定する強度測定手段と、
前記収差測定手段により取得された測定結果と前記強度測定手段により測定された前記戻り光の強度とに基づいて前記収差補正手段を制御する制御手段とを備え、
前記眼科装置は、（ａ）前記収差の量が第１の閾値以上であり且つ（ｂ）前記受光手段により受光された前記戻り光の強度が第２の閾値よりも高い場合に、撮影を行うことを特徴とする眼科装置。
【請求項１０】
請求項７に記載の眼科装置の制御方法の各工程をコンピュータに実行させるためのプログラム。
【請求項１１】
眼科装置であって、
照明光が照明された被検眼からの戻り光を使用して前記被検眼の収差を測定する収差測定手段と、
前記被検眼の前記収差を補正する収差補正手段と、
前記被検眼からの前記戻り光を受光する受光手段と、
前記受光手段により受光された前記戻り光の強度を測定する強度測定手段と、
前記強度測定手段により測定された強度と前記収差測定手段により測定された収差とに基づいて前記収差補正手段を制御する第１モードと、前記強度測定手段により測定された強度に関わらず前記収差測定手段により測定された収差に基づいて前記収差補正手段を制御する第２モードとを切り換える制御手段と、
を備えることを特徴とする眼科装置。
【請求項１２】
前記制御手段は、前記収差測定手段により測定された収差が所定の閾値より小さい場合に前記第１モードで前記収差補正手段を制御し、前記収差測定手段により測定された収差が前記所定の閾値以上の場合に前記第２モードで前記収差補正手段を制御することを特徴とする請求項１１に記載の眼科装置。
【請求項１３】
眼科装置であって、
照明光が照明された被検眼からの戻り光を使用して前記被検眼の収差を測定する収差測定手段と、
前記被検眼からの前記戻り光を受光する受光手段と、
前記受光手段により受光された前記戻り光の強度を測定する強度測定手段と、
前記収差測定手段により測定された収差が第１閾値以上の場合に前記強度測定手段により測定された強度が第２閾値以上か否かを判定する判定手段と、
前記被検眼の前記収差を補正する収差補正手段とを備え、
前記強度測定手段により測定された強度が前記第２閾値未満であると前記判定手段によって判定された場合に、前記収差補正手段は、前記収差測定手段により測定された収差に基づいて前記被検眼の収差を補正することを特徴とする眼科装置。
【請求項１４】
前記被検眼を撮像する撮像手段を更に備え、
前記撮像手段は、前記判定手段によって前記強度測定手段により測定された強度が前記第２閾値以上であると判定された場合に前記被検眼を撮像することを特徴とする請求項１３に記載の眼科装置。
【請求項１５】
眼科装置であって、
照明光が照明された被検眼からの戻り光を使用して前記被検眼の収差を測定する収差測定手段と、
前記被検眼の前記収差を補正する収差補正手段と、
前記被検眼からの前記戻り光を受光する受光手段と、
前記受光手段により受光された前記戻り光の強度を測定する強度測定手段と、
前記強度測定手段により測定された強度が所定値以上となった場合の前記収差補正手段の制御状態を記憶する記憶する記憶手段と、
前記記憶手段に記憶された制御状態に基づいて前記収差補正手段を制御する制御手段と、
前記収差補正手段を介して前記受光手段により受光された前記戻り光に基づいて前記被検眼の画像を生成する画像生成手段と
を備えることを特徴とする眼科装置。
【手続補正２】
【補正対象書類名】明細書
【補正対象項目名】００１６
【補正方法】変更
【補正の内容】
【００１６】
上記の目的を達成する本発明に係る眼科装置は、
照明光が照明された被検眼からの戻り光を使用して前記被検眼の収差を測定する収差測定手段と、
前記被検眼の前記収差を補正する収差補正手段と、
前記被検眼からの前記戻り光を受光する受光手段と、
前記受光手段により受光された前記戻り光の強度を測定する強度測定手段と、
前記収差測定手段により取得された測定
結果と前記強度測定手段により測定された前記戻り光の強度とに基づいて前記収差補正手段を制御する制御手段と、
前記収差補正手段を介して前記受光手段により受光された前記戻り光に基づいて前記被検眼の画像を生成する画像生成手段と
を備えることを特徴とする。
【手続補正３】
【補正対象書類名】明細書
【補正対象項目名】発明の名称
【補正方法】変更
【補正の内容】
【発明の名称】眼科装置、眼科装置の制御方法及びプログラム